(57)【特許請求の範囲】
【請求項１】
ディスクに記録されているデータの再生および前記ディスクへのデータの記録を行うディスク記録再生装置であって、
該ディスク記録再生装置を構成する所定の機構の自動調整を行う自動調整手段と、前記ディスクに記録されているデータの読み込みおよび前記ディスクへのデータの書き込みを行うシステムコントローラとを有し、
前記システムコントローラが、前記ディスクに記録されているディスク記録再生装置を識別するための装置識別情報を読み込み、該読み込んだ装置識別情報が当該ディスク記録再生装置に対応するものか否かを判定し、
対応しない場合は、前記システムコントローラが、前記自動調整手段を用いて自動調整を行い、前記ディスクに記録されている装置識別情報を当該ディスク記録再生装置の装置識別情報に書き換え、前記ディスクに記録されている自動調整結果を当該ディスク記録再生装置で自動調整を行った結果に書き換え、
対応する場合は、前記システムコントローラが、前記ディスクから読み込んだ前記ディスクに記録されている自動調整結果に前記所定の機構のパラメータを設定し、前記ディスクに記録されている装置識別情報と自動調整結果の書き換えを行わないことを特徴とするディスク記録再生装置。
【発明の詳細な説明】
【０００１】
【発明の属する技術分野】
本発明は、円盤上の記録媒体であるディスクに対してデータの読み出し及び書き込みを行うディスク記録再生装置に関するものである。
【０００２】
【従来の技術】
従来のディスク記録再生装置では、ディスク記録再生装置を構成するピックアップサーボ系の自動調整については、装置の立ち上げ時やディスク装着時に毎回行ったり、あるいは、一旦自動調整した結果を装置の内部不揮発性メモリに記憶させておき、次回からはメモリに記憶している自動調整結果に設定するようにしていた。
【０００４】
【発明が解決しようとする課題】
しかし、上記の従来のディスク記録再生装置では、ディスク記録再生に必ず必要であるピックアップサーボ系の自動調整を、装置の電源投入時やディスク装着時に毎回行うので、装置の立ち上げ時間が長くなる。また、一旦自動調整した結果を装置の内部メモリに記憶させておき、次回からはメモリに記憶されている自動調整結果に設定する場合は、装置の立ち上げ時間は短縮されるが、内部メモリの増加を招く。
【０００７】
そこで、本発明は、装置内部のメモリ容量を増大させることなく、装置の立ち上げ時間を短縮したディスク記録再生装置を提供することを目的とする。
【００１０】
【課題を解決するための手段】
上記の目的を達成するため、本発明のディスク記録再生装置は、ディスクに記録されているデータの再生および前記ディスクへのデータの記録を行うディスク記録再生装置であって、該ディスク記録再生装置を構成する所定の機構の自動調整を行う自動調整手段と、前記ディスクに記録されているデータの読み込みおよび前記ディスクへのデータの書き込みを行うシステムコントローラとを有し、前記システムコントローラが、前記ディスクに記録されているディスク記録再生装置を識別するための装置識別情報を読み込み、該読み込んだ装置識別情報が当該ディスク記録再生装置に対応するものか否かを判定し、対応しない場合は、前記システムコントローラが、前記自動調整手段を用いて自動調整を行い、前記ディスクに記録されている装置識別情報を当該ディスク記録再生装置の装置識別情報に書き換え、前記ディスクに記録されている自動調整結果を当該ディスク記録再生装置で自動調整を行った結果に書き換え、対応する場合は、前記システムコントローラが、前記ディスクから読み込んだ前記ディスクに記録されている自動調整結果に前記所定の機構のパラメータを設定し、前記ディスクに記録されている装置識別情報と自動調整結果の書き換えを行わないことを特徴とする。
【００１１】
このような構成によれば、ディスクに記録されている装置識別情報と当該ディスク記録再生装置の装置識別情報が対応する場合は、ディスクに記録されている自動調整結果を読み込み、その自動調整結果にピックアップサーボ系などの所定の機構のパラメータを設定するので、自動調整を行う必要がなく、その時間だけ装置の立ち上げ時間を短縮できる。また、ディスクに記録されている装置識別情報と当該ディスク記録再生装置の装置識別情報が対応しない場合（すなわち、ディスクが最後に使用された装置が当該装置でない場合）は、新たに自動調整を行うので、装置の個体差に対応できる。また、ディスクに自動調整結果を記録するので、ディスク記録再生装置の内部メモリ容量を増大させることもない。
【００２１】
【発明の実施の形態】
以下に、本発明の実施形態を図面を参照しながら説明する。図１は本発明の一実施形態であるディスク記録再生装置のシステム構成を示すブロック図である。同図において、１はディスク、２はスピンドルモータ、３はピックアップ、４はＲＦアンプ、５は復調回路、６はデコード及び誤り訂正回路、７は出力処理回路、８はドライバ、９はドライバ、１０は変調回路、１１はエンコード及び誤り訂正回路、１２は入力処理回路、１３はサーボプロセッサ、１４はディスク制御情報入手手段、１５はシステムコントローラ、１６は温度検出手段、１７は装置識別情報手段、１８は表示手段、１９は操作入力手段、２０は磁気ヘッドである。
【００２２】
各部の働きについて説明する。ディスク１は当該ディスク記録再生装置に脱着自在な円盤状の記録媒体であり、高密度でデータの記録が可能となっている。スピンドルモータ２はディスク１を回転させるモータである。ピックアップ３は、再生時には、ディスク１に光を照射し、ディスク１からの反射光を取り込んでディスク１に記録されたＲＦ信号（変調されたデータ）を読み出し、記録時には、高出力の光ビームをディスク１に照射し、ディスク１の温度を局所的に上昇させる。尚、記録時には、ディスク１上の温度が上昇した領域に磁気ヘッド２０により変調磁界が印加されて、ＲＦ信号がディスク１に記録される。
【００２３】
ＲＦアンプ４はピックアップ３により読み取られたＲＦ信号を増幅する。復調回路５はＲＦアンプ４で増幅されたＲＦ信号から同期検出やデータの復調を行う。デコード及び誤り訂正回路６は復調回路５で復調されたデータに対して誤り訂正及びデコードを行う。出力処理回路７はデコード及び誤り訂正回路６を経たデータを所定の出力形式に合わせて出力する。
【００２４】
入力処理回路１２は入力されたデータに所定の処理を施して出力する。入力処理回路１２から出力されたデータは、エンコード及び誤り訂正回路１１にてコード化されるとともに、誤り訂正用のコードが付加され、その後、変調回路１０により記録に適した形式の記録信号に変換される。この記録信号に基づいて、ドライバ８がピックアップ３から出力される光ビームを制御するとともに、ドライバ９が磁気ヘッド２０からディスク１に印加される磁界を制御する、言い換えれば、記録信号に応じた変調磁界がディスク１に印加される。
【００２５】
サーボプロセッサ１３は、スピンドルモータ２、ピックアップ３をディスク１の半径方向に移送するスライドモータ（不図示）、ディスク１への光の照射及びディスク１からの反射光の入射に関与する、ピックアップ３内の対物レンズ（不図示）を移動させる不図示のアクチュエータを駆動するそれぞれのドライバ回路を有しており、システムコントローラ１５による制御の下で、ピックアップ３から出射される光がディスク１上のトラックに追従するなどの動作が正確に行われるように、駆動する上記各モータ及びアクチュエータをフィードバック制御する。また、サーボプロセッサ１３は、ピックアップ３に関するピックアップサーボ系を自動調整する自動調整手段１３ａを有している。
【００２６】
システムコントローラ１５は、デコード及び誤り訂正回路６の出力をディスク制御情報入手手段１４を介して入力することで、ディスク１の現在のアクセス位置を認識したり、ディスク１に記録されている内容を読み込むことができるようになっている。また、システムコントローラ１５は、各種の情報をエンコード及び誤り訂正回路１１へ出力してディスク１に記録することができるようになっている。
【００２７】
温度検出手段１６は当該装置が置かれている環境温度を測定するものであり、その動作はシステムコントローラ１５により制御される。装置識別情報手段１７は当該ディスク記録再生装置を識別するための装置識別情報を記憶しているものであり、システムコントローラ１５は必要に応じて装置識別情報を読み込む。
【００２８】
表示手段１８は、システムコントローラ１５の制御の下、現在のピックアップ３の位置情報、装置の動作状態などを表示する。操作入力手段１９はユーザが装置に対して指令を入力するためのものであり、入力された指令に基づきシステムコントローラ１５が各部の動作を制御する。
【００２９】
本実施形態のディスク記録再生装置では、図２に示すように、ディスク１のデータ記録領域Ｄの最内周を記録管理情報格納エリア１０として利用する。さらに、記録管理情報格納エリア１０を、取得情報管理エリア１０１、装置識別情報格納エリア１０２、温度情報格納エリア１０３、自動調整情報格納エリア１０４、再生停止位置情報格納エリア１０５、その他関連情報格納エリア１０６の６つのエリアに分けて利用する。
【００３０】
そして、装置識別情報格納エリア１０２にはディスク記録再生装置を識別するための装置識別情報（例えば、装置の機種名、メーカー名など）を、温度情報格納エリア１０３には温度測定手段１７にて測定された温度データを、自動調整情報格納エリア１０４には自動調整により調整された自動調整結果を、再生停止位置情報格納エリア１０５にはディスク１上の再生を停止した位置を示す再生停止位置情報を、その他関連情報格納エリア１０６には、ディスク１に記録されているデータの再生に関与する、その他関連情報（例えば、プログラムメモリ情報、ランダムアクセス設定情報、音質設定情報、音量設定情報などのユーザにより入力設定された操作内容、ゲームの進行状況（ディスク１の再生に伴って変動するデータ）など）を、それぞれ書き込む。
【００３１】
取得情報管理エリア１０１については、装置識別情報管理エリア２０１、温度情報管理エリア２０２、自動調整情報管理エリア２０３、再生停止位置情報管理エリア２０４、その他関連情報管理エリア２０５の５つのエリアに分けて利用する。
【００３２】
装置識別情報管理エリア２０１には、装置識別情報が装置識別情報格納エリア１０２に書き込まれているか否か（装置識別情報の有無）、及び、装置識別情報が書き込まれていれば、その書き込み位置（記録位置）を書き込む。
【００３３】
温度情報管理エリア２０２には、温度情報が温度情報格納エリア１０３に書き込まれているか否か（温度情報の有無）、及び、温度情報が書き込まれていれば、その書き込み位置（記録位置）を書き込む。
【００３４】
自動調整情報管理エリア２０３には、自動調整情報が自動調整情報格納エリア１０４に書き込まれているか否か（自動調整情報の有無）、及び、自動調整情報が書き込まれていれば、その書き込み位置（記録位置）を書き込む。
【００３５】
再生停止位置情報管理エリア２０４には、再生停止位置情報が再生停止位置情報格納エリア１０５に書き込まれているか否か（再生停止位置情報の有無）、及び、再生停止位置情報が書き込まれていれば、その書き込み位置（記録位置）を書き込む。
【００３６】
その他関連情報管理エリア２０５には、その他関連情報がその他関連情報格納エリア１０６に書き込まれているか否か（その他関連情報の有無）、及び、その他関連情報が書き込まれていれば、その書き込み位置（記録位置）を書き込む。
【００３７】
図３及び図４に示すフローチャートを用いて、電源が投入された際にシステムコントローラ１５が行う動作について説明する。電源が投入されると、まず、装置識別情報手段１７に記憶されている装置を識別するための情報である装置識別情報を読み取る（＃１０５）。次に、ピックアップ３をディスク１の内周側へ移動させる（＃１１０）。次に、温度測定手段１６により温度を測定し、現在の環境温度を取得する（＃１１５）。次に、スピンドルモータ２を起動させ、ディスク１の回転を開始させる（＃１２０）。
【００３８】
次に、取得情報管理エリア１０１の装置識別情報管理エリア２０１、温度情報管理エリア２０２、自動調整情報管理エリア２０３、再生停止位置情報管理エリア２０４、その他関連情報管理エリア２０５にそれぞれ書き込まれているデータを読み込む（＃１２５）。
【００３９】
次に、自動調整情報管理エリア２０３から読み込んだデータに基づいて自動調整情報があるか否かを判定する（＃１３０）。自動調整情報があれば（＃１３０のＹ）、＃１３５へ移行し、一方、自動調整情報がなければ（＃１３０のＮ）、＃１７５へ移行する。
【００４０】
＃１３５では、装置識別情報管理エリア２０１から読み込んだデータに基づいて装置識別情報があるか否かを判定する。装置識別情報があれば（＃１３５のＹ）、＃１４０へ移行し、一方、装置識別情報がなければ（＃１３５のＮ）、＃１７５へ移行する。
【００４１】
＃１４０では、温度情報管理エリア２０２から読み込んだデータに基づいて温度情報があるか否かを判定する。温度情報があれば（＃１４０のＹ）、装置識別情報管理エリア２０１から読み込んだデータに基づいて、装置識別情報格納エリア１０２から装置識別情報を読み込み（＃１４５）、その後、＃１５０へ移行する。一方、温度情報がなければ（＃１４０のＮ）、＃１７５へ移行する。
【００４２】
＃１５０では、＃１０５で読み込んだ装置識別情報と＃１４５で読み込んだ装置識別情報とが一致するか否かを判定する。両者の装置識別情報が一致すれば（＃１５０のＹ）、温度情報管理エリア２０２から読み込んだデータに基づいて、温度情報格納エリア１０３から温度情報を読み込み（＃１５５）、その後、＃１６０へ移行する。一方、両者の装置識別情報が一致しなければ（＃１５０のＮ）、＃１７５へ移行する。
【００４３】
＃１６０では、＃１１５で読み込んだ温度情報（すなわち、現在の温度）と＃１５５で読み込んだ温度情報（すなわち、最後に自動調整が行われた際の環境温度）との差が許容範囲内であるか否かを判定する。両者の温度情報の差が許容範囲内であれば（＃１６０のＹ）、システムコントローラ１５が、自動調整情報管理エリア２０３から読み込んだデータに基づいて、自動調整情報格納エリア１０４に書き込まれている自動調整情報を読み込み（＃１６５）、読み込んだ自動調整情報にピックアップサーボ系の各パラメータを設定し（＃１７０）、その後、＃１８０へ移行する。
【００４４】
一方、両者の温度情報の差が許容範囲内でなければ（＃１６０のＮ）、＃１７５へ移行する。＃１７５では、サーボプロセッサ１３が有する自動調整手段１３ａによりピックアップサーボ系の自動調整を行う。
【００４５】
＃１８０では、再生停止位置情報管理エリア２０４から読み込んだデータに基づいて再生停止位置情報の有無を判定する。再生停止位置情報があれば（＃１８０のＹ）、再生停止位置情報管理エリア２０４から読み込んだデータに基づいて、再生停止位置情報格納エリア１０５から再生停止位置情報を読み込み（＃１８５）、その後＃１９０へ移行する。一方、再生停止位置情報がなければ（＃１８０のＮ）、そのまま＃１９０へ移行する。
【００４６】
＃１９０では、その他関連情報管理エリア２０５から読み込んだデータに基づいて、その他関連情報格納エリア１０６にその他関連情報があるか否かを判定する。その他関連情報があれば（＃１９０のＹ）、その他関連情報管理エリア２０５から読み込んだデータに基づいて、その他関連情報格納エリア１０６からその他関連情報を読み込み（＃１９５）、その後＃２００へ移行する。一方、その他関連情報がなければ（＃１９０のＮ）、そのまま＃２００へ移行する。
【００４７】
＃２００では、ディスク制御に必要な情報（ＴＯＣ、ＵＴＯＣ）を読み込み、その他関連情報があれば、その他関連情報に応じた設定を行い、また、再生停止位置情報があれば、それに応じた位置から再生が開始されるように設定した後、再生を開始する再生処理が行われる。
【００４８】
図５に示すフローチャートを用いて、ディスクの再生を停止する際にシステムコントローラ１５が行う動作について説明する。まず、ディスクの再生を停止する再生停止処理を行う（＃３００）。次に、更新する情報があるか否かを判定する（＃３０５）。更新する情報があれば（＃３０５のＹ）、＃３１０へ移行し、一方、更新する情報がなければ（＃３０５のＮ）、＃３６０へ移行する。
【００４９】
＃３１０では、再生停止位置情報が更新されたか否かを判定する。再生停止位置情報が更新されていれば（＃３１０のＹ）、更新された再生停止位置情報を準備し（＃３１５）、その後＃３２０へ移行する。一方、再生停止位置情報が更新されていなければ（＃３１０のＮ）、そのまま＃３２０へ移行する。
【００５０】
＃３２０では、自動調整手段１３ａにより自動調整が実際に行われたか否かを判定する。自動調整が行われていれば（＃３２０のＹ）、その自動調整による調整結果（自動調整情報）を準備する（＃３２５）とともに、立ち上げ時に取得した温度情報を準備し（＃３３０）、その後＃３３５へ移行する。一方、自動調整が行われていなければ（＃３２０のＮ）、そのまま＃３３５へ移行する。
【００５１】
＃３３５では、装置識別情報手段１７から装置の立ち上げ時に読み込んだ装置識別情報と、装置識別情報格納エリア１０２から読み込んだ装置識別情報とに基づいて、装置が変わったか否か、すなわち、ディスク１が最後に使用されたのは、当該装置であったか否かを判定する。当該装置でなければ（＃３３５のＮ）、装置識別情報手段１７から読み込んだ装置識別情報を準備し（＃３４０）、その後＃３４５へ移行する。一方、当該装置であれば（＃３３５のＹ）、そのまま＃３４５へ移行する。
【００５２】
＃３４５では、その他関連情報が更新されたか否かを判定する。その他関連情報が更新されていれば（＃３４５のＹ）、更新されたその他関連情報を準備し（＃３５０）、＃３５５へ移行する。一方、その他関連情報が更新されていなければ（＃３４５のＮ）、そのまま＃３５５へ移行する。
【００５３】
＃３５５では、準備したそれぞれの情報を対応する格納エリアに書き込むとともに、それに応じて管理エリアに書き込まれているデータを更新する。その後、ディスク１の回転を停止させる処理（回転停止処理）を行う（＃３６０）。
【００５４】
このように、本実施形態のディスク記録再生装置では、ディスクに記録されている装置識別情報と当該ディスク記録再生装置の装置識別情報が対応する場合は、ディスクに記録されている自動調整結果を読み込み、その自動調整結果にピックアップサーボ系のパラメータを設定するので、自動調整を行う必要がなく、その時間だけ装置の立ち上げ時間を短縮できる。オーディオ用の装置では、ディスクを装着してから音声が出力されてくるまでの時間が短縮され、ゲーム用の装置では、ゲーム開始までの時間が短縮される。
【００５５】
また、ディスクに記録されている装置識別情報と当該ディスク記録再生装置の装置識別情報が対応しない場合（すなわち、ディスクが最後に使用された装置が当該装置でない場合）は、新たに自動調整を行うので、装置の個体差に対応できる。また、ディスクに自動調整結果を記録するので、ディスク記録再生装置の内部メモリ容量を増大させることもない。
【００５９】
【発明の効果】
本発明のディスク記録再生装置によれば、ディスクに記録されている装置識別情報と当該ディスク記録再生装置の装置識別情報が対応する場合は、ディスクに記録されている自動調整結果を読み込み、その自動調整結果にピックアップサーボ系のパラメータを設定するので、自動調整を行う必要がなく、その時間だけ装置の立ち上げ時間を短縮できる。また、ディスクに記録されている装置識別情報と当該ディスク記録再生装置の装置識別情報が対応しない場合（すなわち、ディスクが最後に使用された装置が当該装置でない場合）は、新たに自動調整を行うので、装置の個体差に対応できる。また、ディスクに自動調整結果を記録するので、ディスク記録再生装置の内部メモリ容量を増大させることもない。
【図面の簡単な説明】
【図１】本発明の一実施形態であるディスク記録再生装置のシステム構成を示すブロック図である。
【図２】各種情報を書き込むディスク上の領域を示す図である。
【図３】システムコントローラ１５が行う動作を示すフローチャートである。
【図４】システムコントローラ１５が行う動作を示すフローチャートである。
【図５】システムコントローラ１５が行う動作を示すフローチャートである。
【符号の説明】
１    ディスク
２    スピンドルモータ
３    ピックアップ
４    ＲＦアンプ
５    復調回路
６    デコード及び誤り訂正回路
７    出力処理回路
８    ドライバ
９    ドライバ
１０    変調回路
１１    エンコード及び誤り訂正回路
１２    入力処理回路
１３    サーボプロセッサ
１４    ディスク制御情報入手手段
１５    システムコントローラ
１６    温度検出手段
１７    装置識別情報手段
１８    表示手段
１９    操作入力手段
２０    磁気ヘッド
【図１】
0003579265.tif 000002
【図２】
0003579265.tif 000003
【図３】
0003579265.tif 000004
【図４】
0003579265.tif 000005
【図５】
0003579265.tif 000006